(57)【要約】      （修正有）【課題】設ける温度検出部の数を減らして製造コストの増加を抑制しながらも、過昇温によるモータ及びヒータの故障等を防止することができる手乾燥装置を提供する。【解決手段】ヒータ１９０よりも下流側における送風路内に設けられ、空気の温度を検出する温度センサ１７０と、送風機１２０及びヒータ１９０を制御する制御装置１６０と、を備える。制御装置１６０は、温度センサ１７０が検出する温度に基づいて送風機１２０及びヒータ１９０を制御する。【選択図】図２
2014188091.tif 000002
【特許請求の範囲】
【請求項１】
使用者の手に空気を吹き付けて乾燥させる手乾燥装置であって、
使用者の手が挿入される空間である手乾燥室と、
前記手乾燥室に空気を吹き出すノズルと、
空気を取り込む吸気口から前記ノズルに至る送風路と、
前記送風路に配置され、モータによってファンを駆動することで、前記吸気口から吸い込んだ空気を前記ノズルから前記手乾燥室に吹き出すように空気を送出する送風機と、
前記送風機よりも下流側における前記送風路内に設けられ、通過する空気を加熱するヒータと、
前記ヒータよりも下流側における前記送風路内に設けられ、空気の温度を検出する温度検出部と、
前記送風機及び前記ヒータを制御する制御部と、を備え、
前記制御部は、前記温度検出部が検出する温度に基づいて前記送風機及び前記ヒータを制御することを特徴とする手乾燥装置。
【請求項２】
前記制御部は、
前記温度検出部が検出した温度が第１温度以上であった場合に、前記ヒータの出力を低下させる第１制御を実行し、
前記第１制御の実行から所定時間が経過した後に、前記温度検出部が検出した温度が第２温度以上であった場合に、前記モータの駆動を停止させる第２制御を実行することを特徴とする請求項１に記載の手乾燥装置。
【請求項３】
前記制御部は、
前記温度検出部が検出した温度が第１温度以上であった場合に、前記ヒータの出力を低下させる第１制御を実行し、
前記第１制御の実行から所定時間が経過した後に、前記温度検出部が検出した温度の単位時間当たりの上昇量が所定量以上であった場合に、前記モータの駆動を停止させる第３制御を実行することを特徴とする請求項１に記載の手乾燥装置。
【請求項４】
前記制御部は、前記第１制御の実行から予め定められた時間が経過するまでは、前記第２制御又は前記第３制御を実行しないことを特徴とする請求項２又は３に記載の手乾燥装置。
【請求項５】
前記温度検出部は、前記ノズルの近傍に設けられることを特徴とする請求項１乃至４のいずれか１項に記載の手乾燥装置。
【発明の詳細な説明】
【技術分野】
【０００１】
本発明は、本発明は、使用者の手に空気を吹き付けて乾燥させる手乾燥装置に関する。
【背景技術】
【０００２】
近年、鉄道の駅、ホテル、映画館あるいは大型商業設備などの公共施設のトイレや洗面所などには、水洗いした後の濡れた手を挿入し、自動的に吹き出す空気によって乾燥する手乾燥装置が設置されている。一般的な形態の手乾燥装置として、下記特許文献１に記載されたものが知られている。
【０００３】
下記特許文献１に記載された手乾燥装置では、使用者が凹状の手乾燥室（手挿入部）内に濡れた手を挿入すると、ノズルから高圧の空気が吹き出し、手に付着した水をその空気によって吹き飛ばして乾燥させる。ノズルから吹き出される空気は、その上流側に配置される送風機（高圧空気流発生装置）から供給される。この送風機は、モータ（ＤＣブラシレスモーター）と、ターボファンとにより構成されており、モータの駆動によってターボファンが回転することにより、手乾燥装置の外部から空気を吸引してノズル側に吹き出す。
【０００４】
下記特許文献１に明示の記載は無いものの、送風機とノズルとを連通する送風路（排気通路）には、送風機から吹き出される空気を加熱するヒータが設けられることが一般的である。これにより、ノズルから吹き出される空気が温風となり、使用者の手の乾燥を促進している。
【先行技術文献】
【特許文献】
【０００５】
【特許文献１】特開２０１０−２７３７８１号公報
【発明の概要】
【発明が解決しようとする課題】
【０００６】
上記のようにヒータで空気を加熱する手乾燥装置においては、例えば送風機の空気の吸込経路に埃が詰まるなどした場合に、モータやヒータを流れる空気量が正常時よりも減少し、それらの温度が過度に上昇するという不具合が生じ得る。つまり、モータやヒータには正常時と同様の電力が供給されるにもかかわらず、流れる空気の量は正常時よりも減少するため、モータやヒータが空気で冷却されず、正常時よりも高い温度となる。これにより、モータやヒータが故障したり、過度に昇温された空気がノズルから使用者の手に吹き付けられたりするといった異常が生じるおそれがある。そのため、従来の手乾燥装置では、モータとヒータのそれぞれの温度を検出する温度センサ（温度検出部）が複数設けられており、各温度センサが検出する温度に基づいてモータ及びヒータを制御することで、上記異常の発生防止を図ることが一般的に行われていた。
【０００７】
しかしながら、このような従来の手乾燥装置では、複数の温度センサを設けることで製造コストの増加を招くとともに、構成も複雑になるという課題があった。
【０００８】
本発明はこのような課題に鑑みてなされたものであり、その目的は、設ける温度検出部の数を減らして製造コストの増加を抑制しながらも、過昇温によるモータ及びヒータの故障等を防止することができる手乾燥装置を提供することにある。
【課題を解決するための手段】
【０００９】
上記課題を解決するために、本発明に係る手乾燥装置は、使用者の手に空気を吹き付けて乾燥させる手乾燥装置であって、使用者の手が挿入される空間である手乾燥室と、手乾燥室に空気を吹き出すノズルと、空気を取り込む吸気口からノズルに至る送風路と、送風路に配置され、モータによってファンを駆動することで、吸気口から吸い込んだ空気をノズルから手乾燥室に吹き出すように空気を送出する送風機と、送風機よりも下流側における送風路内に設けられ、通過する空気を加熱するヒータと、ヒータよりも下流側における送風路内に設けられ、空気の温度を検出する温度検出部と、送風機及びヒータを制御する制御部と、を備える。本発明の制御部は、温度検出部が検出する温度に基づいて送風機及びヒータを制御することを特徴とする。
【００１０】
本発明に係る手乾燥装置は、送風機のモータ及びヒータが送風路の内部に設けられるとともに、温度検出部はそれらの下流側の送風路内に設けられる。モータ及びヒータのいずれか一方に過昇温が生じた場合でも、それらと熱交換して送風路の下流側に流れる空気の温度が高まるため、温度検出部が検出する温度は、正常時よりも高い値を示すことになる。
【００１１】
したがって、本発明に係る手乾燥装置によれば、設ける温度検出部の数を減らして製造コストの増加を抑制しながらも、モータ及びヒータの過昇温を検出することが可能となる。温度検出部が検出する温度に基づいてモータ及びヒータを制御することで、過昇温によるモータ及びヒータの故障や、過度に昇温された空気が使用者の手に吹き付けられる事態を防止することが可能となる。
【００１２】
また本発明に係る手乾燥装置では、制御部は、温度検出部が検出した温度が第１温度以上であった場合に、ヒータの出力を低下させる第１制御を実行し、第１制御の実行から所定時間が経過した後に、温度検出部が検出した温度が第２温度以上であった場合に、モータの駆動を停止させる第２制御を実行することも好ましい。
【００１３】
この好ましい態様では、温度検出部が検出する温度が上昇し、第１温度以上となった場合は、ヒータの出力を低下させる第１制御を実行する。したがって、モータ及びヒータの少なくとも一方に過昇温が生じた場合に、まず、空気の温度上昇への寄与が高いヒータの出力を低下させることで、過昇温によるヒータの故障や、過度に昇温された空気が使用者の手に吹き付けられる事態を防止することが可能となる。
【００１４】
過昇温が生じていたのがヒータのみであった場合、第１制御の実行後は、温度検出部が検出する温度は、その上昇が緩慢になるか、若しくは低下するような傾向を示す。しかし、第１制御の実行後も、引き続き高い温度が検出される場合は、モータに過昇温が生じていることになる。したがって、第１制御の実行から所定時間が経過した後に、温度検出部が検出した温度が第２温度以上である場合は、モータを停止する第２制御を実行することで、過昇温によるモータの故障を抑制することが可能となる。
【００１５】
尚、上記第１温度と第２温度は、モータ及びヒータのそれぞれの特性に基づいて定めることができるが、必ずしも異なる温度である必要はない。
【００１６】
また本発明に係る手乾燥装置では、制御部は、温度検出部が検出した温度が第１温度以上であった場合に、ヒータの出力を低下させる第１制御を実行し、第１制御の実行から所定時間が経過した後に、温度検出部が検出した温度の単位時間当たりの上昇量が所定量以上であった場合に、モータの駆動を停止させる第３制御を実行することも好ましい。
【００１７】
この好ましい態様では、温度検出部が検出する温度が上昇し、第１温度以上となった場合は、ヒータの出力を低下させる第１制御を実行する。したがって、モータ及びヒータの少なくとも一方に過昇温が生じた場合に、まず、空気の温度上昇への寄与が高いヒータの出力を低下させることで、過昇温によるヒータの故障や、過度に昇温された空気が使用者の手に吹き付けられる事態を防止することが可能となる。
【００１８】
過昇温が生じていたのがヒータのみであった場合、第１制御の実行後は、温度検出部が検出する温度が検出する温度は、その上昇が緩慢になるか、若しくは低下する傾向を示す。しかし、第１制御の実行後も、温度が著しく上昇する場合は、モータに過昇温が生じていることになる。したがって、第１制御の実行後から所定時間が経過した後に、温度検出部が検出した温度の単位時間当たりの上昇量が所定量以上であった場合は、モータを停止する第３制御を実行することで、過昇温によるモータの故障を抑制することが可能となる。
【００１９】
ここでは、温度検出部が検出した温度の単位時間当たりの上昇量に基づいて制御するため、同温度が大きく上昇する前に、モータ停止の要否を迅速に判断することができ、より確実にモータの故障を抑制することができる。
【００２０】
また本発明に係る手乾燥装置では、制御部は、第１制御の実行から予め定められた時間が経過するまでは、第２制御又は第３制御を実行しないことも好ましい。
【００２１】
この好ましい態様では、第１制御の実行から予め定められた時間が経過するまで、第２制御又は第３制御を実行しない。ヒータの出力を低下させて暫くの間は、ヒータの下流側の空気の温度は、不安定になり易い。この好ましい態様では、予め定められた時間の経過を待つことで、上記のような温度の不安定性が外乱となり、誤ってモータに過昇温が生じていると判断してしまう事態を防止することができる。
【００２２】
また本発明に係る手乾燥装置では、温度検出部は、ノズルの近傍に設けられることも好ましい。
【００２３】
この好ましい態様では、ノズルの近傍に温度検出部を設けることで、ノズルから使用者の手に吹き付けられる空気の温度に近い温度を検出することができる。したがって、過度に昇温された空気が使用者の手に吹き付けられる事態を、より確実に防止することが可能となる。
【発明の効果】
【００２４】
本発明によれば、設ける温度検出部の数を減らして製造コストの増加を抑制しながらも、過昇温によるモータ及びヒータの故障等を防止することができる。
【図面の簡単な説明】
【００２５】
【図１】本発明の実施形態に係る手乾燥装置の斜視図である。
【図２】図１のＡ−Ａ断面における断面図である。
【図３】本発明の実施形態に係る手乾燥装置の手乾燥フローを示すフローチャートである。
【図４】本発明の別の実施形態に係る手乾燥装置の手乾燥フローを示すフローチャートである。
【発明を実施するための形態】
【００２６】
以下、添付図面を参照しながら本発明の実施の形態について説明する。理解を容易にするため、各図面において同一の構成要素に対しては可能な限り同一の符号を付し、重複する説明は省略する。
【００２７】
まず、図１及び図２を参照して本発明の実施形態に係る手乾燥装置を説明する。図１は、本発明の実施形態に係る手乾燥装置の斜視図であり、図２は、図１のＡ−Ａ断面における断面図である。
【００２８】
手乾燥装置ＨＤは、その背面をトイレ室等の壁面Ｗに当接させて設置され、機能部１０と、機能部１０の下方に設けられる水受部２０を備えている。また、機能部１０と水受部２０との間には、壁面Ｗ側に向けて凹状となる手乾燥室３０が形成されている。
【００２９】
機能部１０は、図２に示すように、内部に空間を形成する第１ケース１１０と、その第１ケース１１０内に配置される内部ケース１３０と、この内部ケース１３０内に収容される送風機１２０と、ヒータ１９０を備えている。また、第１ケース１１０の内部には、手検知センサ１５０と、制御装置１６０とが内部ケース１３０の下方に配置されており、内部ケース１３０の下部にはノズル部材１４０が接続されている。さらに、ノズル部材１４０の内部に挿入されるようにして、温度センサ１７０が配置されている。
【００３０】
送風機１２０は、内部に配置されるモータ１２１と、そのモータ１２１の出力軸に接続されるファン（図示せず）を有している。モータ１２１は電力が供給されることによって駆動する電動機であり、この電力の供給は制御装置１６０によって制御される。また、モータ１２１は、その出力軸を介してファンを回転させることで、送風機入口１２２から空気を吸引して内部に取り込む。取り込んだ空気はモータ１２１側に流れ、その外側に開設された送風機出口１２３から外部に吹き出される。
【００３１】
手検知センサ１５０は、手乾燥室３０内に使用者の手が挿入されたことを検知するためのセンサである。ここでは、手乾燥室３０内に赤外線を照射するとともに、使用者の手が手乾燥室３０内に挿入された場合に、その使用者の手で反射した赤外線を受信することで、使用者の手を検知するものとしている。手検知センサ１５０は、使用者の手の挿入を検知すると、検知信号を制御装置１６０に送信する。
【００３２】
ノズル部材１４０は、内部ケース１３０の下端の内部ケース出口１３２に、それぞれの内部が連通するよう接続されている。ノズル部材１４０の下端部にはスリット状のノズル孔１４１が設けられるとともに、第１ケース１１０の下面から手乾燥室３０内に臨出している。また、ノズル部材１４０は、上端部から下端部にかけて、その内部の断面積が漸次小さくなるよう形成されている。このノズル部材１４０の内部には温度センサ１７０が外部から挿入されており、空気の温度を検出可能に構成されている。
【００３３】
ヒータ１９０は、内部ケース出口１３２の近傍に設けられ、内部ケース出口１３２からノズル部材１４０内へと流入する空気が、その内部を通過できるよう構成されている。また、ヒータ１９０は、電力の供給を受けて発熱し、その内部を通過する空気を熱伝達によって加熱するができる。この電力の供給は制御装置１６０によって制御されており、供給される電力が大きいほどヒータ１９０の出力も大きくなり、通過する空気も高温となる。
【００３４】
水受部２０は、樹脂材料で一体的に形成される第２ケース２００と、第２ケース２００の下方に配置される水受トレー２２０とを備えている。第２ケース２００は、壁面Ｗに沿って伸びる背板２０１と、背板２０１の下端から前方に延びる底板２０２とを有する。また、背板２０１と底板２０２の両側及び前方の端部には、連なるようにして前方又は上方に突出する側板２０３を有している。このように構成された第２ケース２００と、第１ケース１１０の下面により、前面及び左右両側面が開放された手乾燥室３０が区画形成される。また、図１に示すように、底板２０２には上下方向に貫通する排水孔２１０が設けられている。この排水孔２１０から下方に排出された水は、底板２０２の下方に配置される水受トレー２２０内に貯留されるよう構成されている。
【００３５】
以上のように構成された手乾燥装置ＨＤの動作について、図３を併せて参照して説明する。図３は、本発明の実施形態に係る手乾燥装置の手乾燥フローを示すフローチャートである。
【００３６】
手乾燥装置ＨＤに電力が供給されると、手検知センサ１５０は手乾燥室３０内に赤外線を照射し、使用者の手の挿入に待機する（Ｓ１０１：Ｎｏ）。そして、手乾燥室３０内に使用者の濡れた手が挿入され、手検知センサ１５０がそれを検知すると（Ｓ１０１：Ｙｅｓ）、手検知センサ１５０は制御装置１６０に検知信号を送信する。当該検知信号を受信した制御装置１６０は、モータ１２１及びヒータ１９０への電力供給を開始し、それらの駆動及び出力を開始させる（Ｓ１０２）。
【００３７】
この際の手乾燥装置ＨＤにおける空気の流れについて、再び図１及び図２を参照して説明する。モータ１２１が駆動を開始すると、その出力軸に接続されているファン（図示せず）が回転を開始する。このファンの回転により、機能部１０、水受部２０の背面寄りの側面にそれぞれ設けられた第１吸込口１１１、第２吸込口２０４から、矢印Ｆａのように空気が吸い込まれる。
【００３８】
図２に示すように、第１吸込口１１１と第２吸込口２０４から吸い込まれた空気は、それぞれ機能部１０の背面と壁面Ｗとで形成される第１背面風路１１２と、水受部２０の背面と壁面Ｗとで形成される第２背面風路２０５を、機能部１０の背面下部に設けられるフィルタ部材１８０に向けて流れる。フィルタ部材１８０は、空気が通過可能なメッシュ状の部材であり、通過の際に空気中に含まれる異物を除去することが可能に構成されている。
【００３９】
フィルタ部材１８０を壁面Ｗ側から前方側に通過した空気は、矢印Ｆｂのようにその流れの向きを上方向に変えて、下流に設けられる吸気ダクト１８１内に流入する。そして、空気は吸気ダクト１８１内を流れ、壁面Ｗ側に向けて開設された内部ケース入口１３１から、矢印Ｆｃのようにその流れの向きを前方へと変え、内部ケース１３０内に流入する。
【００４０】
内部ケース１３０内には、送風機１２０がその送風機入口１２２を内部ケース入口１３１に対向させて収容されている。内部ケース入口１３１を通過し、送風機入口１２２から送風機１２０の内部に流入した空気は、モータ１２１の近傍に至る。電力供給を受けて駆動しているモータ１２１は、その巻線等においてジュール熱が生じているため、このモータ１２１の近傍を流れる空気が加熱され、昇温する。この昇温した空気は、矢印Ｆｄのように送風機出口１２３から外部に吹き出される。
【００４１】
送風機出口１２３から吹き出された空気は、送風機１２０と内部ケース１３０との間を流れ、下方の内部ケース出口１３２に至る。上記のように、内部ケース出口１３２の近傍にはヒータ１９０が配置されており、空気はヒータ１９０の内部を通過してさらに下方のノズル部材１４０の上端へと流れる。ヒータ１９０は電力の供給を受けて発熱していることから、通過する空気は熱伝達により加熱され、さらに昇温してノズル部材１４０内に流入する。この際に温度センサ１７０が検知する温度は、モータ１２１及びヒータ１９０で加熱されノズル部材１４０内に流入してくる空気の温度である。
【００４２】
上記のように、ノズル部材１４０は、上端部から下端部にかけて、その内部の断面積が漸次小さくなるよう形成されている。したがって、ノズル部材１４０の上端部から内部に流入した空気は、加速しながらその下端部へと向かい、ノズル孔１４１から矢印Ｆｅのように手乾燥室３０内に向けて吹き出す。手乾燥室３０内に挿入された使用者の濡れた手（図示せず）は、この加熱されて吹き出す空気によって付着している水が吹き飛ばされて乾燥される。
【００４３】
再び図３を参照し、手乾燥フローについて説明を続ける。使用者が手の乾燥を終えて手乾燥室３０内から手を引き抜き、手検知センサ１５０が手乾燥室３０内における手の存在を検知しなくなった場合（Ｓ１０３：Ｎｏ）は、制御装置１６０は、モータ１２１及びヒータ１９０への電力供給を停止し、それらの駆動と出力を停止させる（Ｓ１０９）。
【００４４】
手検知センサ１５０が手乾燥室３０内における手の存在を継続的に検知している場合（Ｓ１０３：Ｙｅｓ）は、制御装置１６０は、温度センサ１７０が検出する温度Ｔが、基準温度Ｔ１以上であるか否かを判断する（Ｓ１０４）。そして、温度Ｔが基準温度Ｔ１以上ではない場合（Ｓ１０４：Ｎｏ）は、モータ１２１及びヒータ１９０のいずれにも過昇温が生じておらず、それらの下流の空気の温度が高まっていない状態（正常）であると判断する。したがって、この場合は、制御装置１６０はモータ１２１の回転駆動とヒータ１９０の出力を継続させる。
【００４５】
一方、温度センサ１７０が検出する温度Ｔが基準温度Ｔ１以上である場合（Ｓ１０４：Ｙｅｓ）は、モータ１２１及びヒータ１９０の少なくとも一方に過昇温が生じており、それらの下流の空気が過度に昇温した状態（異常）であると判断できる。したがってこの場合、制御装置１６０は、ヒータ１９０に供給する電力を小さくし、出力を低下させる（Ｓ１０５）。これは、まずモータ１２１に比べて空気の温度上昇への寄与が高いヒータ１９０の出力を低下させることで、過度に昇温された空気がノズル孔１４１から使用者の手に吹き付けられないようにするためである。そして、手検知センサ１５０が手乾燥室３０内における手の存在を継続的に検知している場合は、制御装置１６０は、モータ１２１の駆動とヒータ１９０の出力を継続させる（Ｓ１０６：Ｙｅｓ）。
【００４６】
モータ１２１及びヒータ１９０のうち、過昇温が生じていたのがヒータ１９０のみであった場合、ステップ１０５でヒータ１９０の出力を低下させたことで、その後に温度センサ１７０が検出する温度は、その上昇が緩慢になるか、若しくは低下するような傾向を示すはずである。しかし、その後も引き続き高い温度が検出される場合は、モータ１２１に過昇温が生じていると判断できる。
【００４７】
そこで、制御装置１６０は、ヒータ１９０の出力低下から時間ｔ１が経過した後（Ｓ１０７：Ｙｅｓ）に、温度センサ１７０が検出する温度Ｔが、基準温度Ｔ２以上である否かを判断する（Ｓ１０８）。そして、温度Ｔが基準温度Ｔ２以上である場合は、制御装置１６０はモータ１２１に過昇温が生じていると判断し、モータ１２１の駆動及びヒータ１９０の出力を停止させる（Ｓ１０９）。これにより、過昇温によるモータ１２１の故障を抑制することが可能となる。
【００４８】
また、ヒータ１９０の出力を低下させて暫くの間は、ヒータ１９０の下流側の空気の温度は不安定になり易い。しかし、手乾燥装置ＨＤでは、ヒータ１９０の出力低下（Ｓ１０５）から時間ｔ１が経過するまで、制御装置１６０は温度Ｔが基準温度Ｔ２以上である否かの判断を行わない。したがって、上記のような温度の不安定性が外乱となり、誤ってモータ１２１に過昇温が生じていると判断しまう事態を防止している。
【００４９】
さらに、ノズル部材１４０の内部に温度センサ１７０を設けることで、使用者の手に吹き付けられる空気の温度に近い温度を検出することができる。したがって、過度に昇温された空気が使用者の手に吹き付けられる事態を、より確実に防止することが可能となる。
【００５０】
ここで、基準温度Ｔ１は、一定値としてもよいし、気温の変動によらず正確な制御を行えるよう、季節に応じて変化させる値としてもよい。
【００５１】
また、ステップＳ１０５では、ヒータ１９０に供給する電力を小さくし、その後も出力させているが、その他の態様として、ヒータ１９０への電力の供給を完全に停止し、その後の出力を停止させてもよい。
【００５２】
次に、図４を参照して、本発明の別の実施形態に係る手乾燥装置を説明する。本発明の別の実施形態に係る手乾燥装置は、手乾燥フローの一部のステップのみ先の実施形態に係る手乾燥装置と異なっており、他の構成については共通している。このため、以下の説明においては当該異なる部分についてのみ説明することとし、共通の構成については説明を省略する。
【００５３】
図４は、本発明の別の実施形態に係る手乾燥装置の手乾燥フローを示すフローチャートである。
【００５４】
本手乾燥フローでは、モータ１２１に生じている過昇温を、温度センサ１７０が検出する温度の単位時間当たりの上昇量が所定量以上であるか否かで判断するステップ（Ｓ１０８’）と、ヒータ１９０の出力を低下させてから、当該過昇温の判断までに時間ｔ２を置くステップ（Ｓ１０７’）とが、先の実施形態の手乾燥フローと異なっている。
【００５５】
モータ１２１及びヒータ１９０のうち、過昇温が生じていたのがヒータ１９０のみであった場合、ステップ１０５でヒータ１９０の出力を低下させたことで、その後に温度センサ１７０が検出する温度は、その上昇が緩慢になるか、若しくは低下するような傾向を示すはずである。しかし、その後も温度が著しく上昇する場合は、モータ１２１に過昇温が生じていると判断できる。
【００５６】
そこで、制御装置１６０は、ヒータ１９０の出力低下から時間ｔ２が経過した後（Ｓ１０７’：Ｙｅｓ）に、温度センサ１７０が検出する温度Ｔの単位時間当たりの上昇量ΔＴ／Δｔが、基準量Ｌ以上である否かを判断する（Ｓ１０８’）。そして、ΔＴ／Δｔが基準量Ｌ以上である場合は、制御装置１６０はモータ１２１に過昇温が生じていると判断し、モータ１２１の回転駆動及びヒータ１９０の出力を停止させる（Ｓ１０９）。これにより、過昇温によるモータ１２１の故障を抑制することが可能となる。
【００５７】
また、ヒータ１９０の出力を低下させて暫くの間は、ヒータ１９０の下流側の空気の温度は不安定になり易い。しかし、本実施形態の手乾燥装置ＨＤでは、ヒータ１９０の出力低下（Ｓ１０５）から時間ｔ２が経過するまで、制御装置１６０は温度Ｔの単位時間当たりの上昇量ΔＴ／Δｔが基準量Ｌ以上である否かの判断を行わない。したがって、上記のような温度の不安定性が外乱となり、誤ってモータ１２１に過昇温が生じていると判断しまう事態を防止している。
【００５８】
さらに、この別の実施形態に係る手乾燥装置では、温度センサ１７０が検出した温度Ｔの単位時間当たりの上昇量ΔＴ／Δｔに基づいて制御するため、同温度が大きく上昇する前に、モータ１２１の停止の要否を迅速に判断することができる。さらに、ステップＳ１０７’で設けられる時間ｔ２を、先の実施形態のステップＳ１０７で設けられる時間ｔ１よりも短いものとし、より確実にモータの故障を抑制することができる。
【００５９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
ＨＤ：手乾燥装置
１０：機能部
２０：水受部
３０：手乾燥室
１２０：送風機
１２１：モータ
１２３：送風機出口
１４０：ノズル部材
１４１：ノズル孔
１５０：手検知センサ
１６０：制御装置
１７０：温度センサ
１９０：ヒータ
【図１】
2014188091.tif 000003
【図２】
2014188091.tif 000004
【図３】
2014188091.tif 000005
【図４】
2014188091.tif 000006